(57)【要約】【課題】構造簡単で部品点数が少なく、大型化することなく、複数枚のシートへの画像形成時間を短縮することにある。【解決手段】複数の原稿を連続して読み取り得る読取手段１１、カット紙を収納するカット紙トレイ１５、ロール紙Ｒ１，Ｒ２を収納するロール紙トレイ１４、用紙の搬送方向に直交する方向に裁断する横裁断手段１６、連続して読み取った複数の原稿をもとにトナーで画像を形成して用紙の搬送方向と直交する方向に画像を並べて一気に形成し得る作像手段１７、形成した画像を定着させる定着手段１８、用紙に形成された複数の画像を搬送方向に分割するべく裁断する縦裁断手段１９などをそなえる。そして、縦裁断手段１９に、裁断テーブル、カッタ、ソレノイド、カムなどをそなえる。【選択図】　　　　図２
2004074544.tif 000002
【特許請求の範囲】
【請求項１】
ロールシートから繰り出したシートを搬送しながらそれに作像手段で画像を形成する一方、そのシートを、横裁断手段でシート搬送方向と直交する方向に裁断するとともに、縦裁断手段でシート搬送方向に裁断する画像形成装置において、
前記作像手段で、前記ロールシートから繰り出したシートにシート搬送方向と直交する方向に複数の画像を並べて一気に形成し得るようにするとともに、
前記縦裁断手段を、固定位置に備えて裁断モードと非裁断モードとに切り換え可能とすることを特徴とする、画像形成装置。
【請求項２】
前記作像手段で、２ｘ−１（ｘは正の整数）等分してシートに複数の画像を形成し得るようにするとともに、前記縦裁断手段を、（２ｙ−１）（ｙは正の整数）個備えることを特徴とする、請求項１に記載の画像形成装置。
【請求項３】
前記縦裁断手段に、搬送するシートを案内する裁断テーブルと、搬送するシートを裁断するカッタを備え、そのカッタを、前記裁断モードのとき前記裁断テーブルのシート案内面上に突出し、前記非裁断モードのときそのシート案内面内に格納するように該シート案内面に対して出没自在とすることを特徴とする、請求項１または２に記載の画像形成装置。
【請求項４】
前記カッタを重力で前記非裁断モードとし、重力に抗して移動して前記裁断モードとすることを特徴とする、請求項１ないし３のいずれか１に記載の画像形成装置。
【請求項５】
ソレノイドで前記カッタを重力に抗して移動して前記裁断モードとすることを特徴とする、請求項４に記載の画像形成装置。
【発明の詳細な説明】
【０００１】
【発明の属する技術分野】
この発明は、複写機、プリンタ、プロッタなどの画像形成装置に関する。特に、比較的大きなサイズのシートをロール状に巻き付けて備え、そのロールシートから繰り出したシートを搬送しながらそれに作像手段で画像を形成する一方、その画像を形成した部分を裁断して出力する画像形成装置に関する。
【０００２】
【従来の技術】
この種の従来の画像形成装置では、原稿を読み取る読取手段と、ロールシートを搬送方向に直交する方向に裁断する横裁断手段と、シートに画像を形成する作像手段などをそなえる。そして、原稿をコピーするときは、原稿を読取手段にて読み取って作像手段に送り、ロールシートから繰り出したシートに画像形成をするとともに、その画像を形成した部分を横裁断手段で、横裁断して出力する。
【０００３】
したがって、作像手段にて複数の画像をシートに形成するときは、複数の画像を順次、複数枚のシートに形成していた。例えば、Ｎ個の画像は、Ｎ枚のシートに順次形成して出力していた。
【０００４】
しかし、このような画像形成装置では、複数の画像を順次、複数枚のシートに形成するので、コピーに時間がかかっていた。
【０００５】
そこで、図１０に示すような画像形成装置が提案されている。この画像形成装置は、複数枚の原稿を連続して読み取る読取手段と、ロールシートを搬送方向に直交する方向に裁断する横裁断手段と、シート搬送方向に直交する方向に２つの画像を並べて形成しうる作像手段などに加えて、シートを搬送方向に裁断する縦裁断手段をそなえる。
【０００６】
縦裁断手段は、側板５，６で主軸２を回転自在に支持し、主軸２には、歯車２ａ，２ｂを介してモータ４の回転を伝達する。そして、主軸２には、カッタ１ａと従動刃１ｂをそなえた裁断機構１を設ける。裁断機構１は、主軸２に沿ってスライドする一方、主軸２とともに回動する。また、カッタ１ａは、モータ４の回転が伝達されて回転するように取り付ける。
【０００７】
さらに、裁断機構１をワイヤ３ｂに取り付けられたガイド３ａによって挟持する。そして、移動モータ３ｅの回転をプーリ３ｃ，３ｄとの間に掛け渡したワイヤ３ｂを介して、ガイド３ａに伝達し、ガイド３ａをスライドさせることによって、裁断機構１をスライドさせる。
【０００８】
このような縦裁断手段でシート搬送方向Ｐに直交する方向に２つの画像が並べて形成されたシートを縦裁断して２つの画像を分割するときは、移動モータ３ｅを回転してガイド３ａをスライドさせることによって裁断機構１を主軸２に沿って裁断位置にスライドさせる。そして、モータ４を回転させて、裁断機構１を裁断モードとし、カッタ１ａを矢印Ｍの方向に回転させて不図示のシートを縦裁断する。
【０００９】
【発明が解決しようとする課題】
しかしながら、図１０のような従来の画像形成装置では、縦裁断手段をシート搬送方向と直交する方向に移動するから、移動機構３を必要として構造が複雑化し、部品点数が多くなるとともに、縦裁断手段１の移動スペースを確保しなければならず、装置が大型化するという問題があった。
【００１０】
そこで、この発明の第１の目的は、構造簡単で部品点数が少なく、大型化することなく、複数枚のシートへの画像形成時間を短縮することにある。
【００１１】
この発明の第２の目的は、規格サイズのシートへの画像形成を可能とすることにある。
【００１２】
この発明の第３の目的は、シートの搬送を確実にするとともに、簡単な構成で、縦裁断手段における裁断モードと非裁断モードの切り換えを確実とすることにある。
【００１３】
この発明の第４の目的は、縦裁断手段における裁断モードと非裁断モードの切り換えを簡単とすることにある。
【００１４】
この発明の第５の目的は、縦裁断手段における裁断モードと非裁断モードの切り換えを安価に行い得るようにすることにある。
【００１５】
【課題を解決するための手段】
そのため、請求項１に記載の発明は、上記第１の目的を達成すべく、ロールシートから繰り出したシートを搬送しながらそれに作像手段で画像を形成する一方、そのシートを、横裁断手段でシート搬送方向と直交する方向に裁断するとともに、縦裁断手段でシート搬送方向に裁断する画像形成装置において、前記作像手段で、前記ロールシートから繰り出したシートにシート搬送方向と直交する方向に複数の画像を並べて一気に形成し得るようにするとともに、前記縦裁断手段を、固定位置に備えて裁断モードと非裁断モードとに切り換え可能とすることを特徴とする。
【００１６】
請求項２に記載の発明は、上記第２の目的を達成すべく、請求項１に記載の画像形成装置において、前記作像手段で、２ｘ−１（ｘは正の整数）等分してシートに複数の画像を形成し得るようにするとともに、前記縦裁断手段を、（２ｙ−１）（ｙは正の整数）個備えることを特徴とする。
【００１７】
請求項３に記載の発明は、上記第３の目的を達成すべく、請求項１または２に記載の画像形成装置において、前記縦裁断手段に、搬送するシートを案内する裁断テーブルと、搬送するシートを裁断するカッタを備え、そのカッタを、前記裁断モードのとき前記裁断テーブルのシート案内面上に突出し、前記非裁断モードのときそのシート案内面内に格納するように該シート案内面に対して出没自在とすることを特徴とする。
【００１８】
請求項４に記載の発明は、上記第４の目的を達成すべく、請求項１ないし３のいずれか１に記載の画像形成装置において、前記カッタを重力で前記非裁断モードとし、重力に抗して移動して前記裁断モードとすることを特徴とする。
【００１９】
請求項５に記載の発明は、上記第５の目的を達成すべく、請求項４に記載の画像形成装置において、ソレノイドで前記カッタを重力に抗して移動して前記裁断モードとすることを特徴とする。
【００２０】
【発明の実施の形態】
以下、図面を参照しつつ、この発明の実施の形態につき説明する。図１には、この発明の一例としての複写機（画像形成装置）の斜視図を示す。
【００２１】
この例の複写機は、上面に、複写する原稿を読み取る読取手段１１、複写枚数や複写濃度などの各種の設定を行ったり、複写を開始・停止させたりする操作手段１２、原稿を載置して読取手段１１に送る読取台１３などを設ける。また、下部には、不図示のロール紙（ロールシート）を巻き出し可能に収納したロール紙トレイ１４と、定形サイズのカット紙を収納したカット紙トレイ１５などを設ける。
【００２２】
図２に示すように、複写機には、Ａ０サイズの長辺を幅とするロール紙Ｒ１，Ｒ２を収納したロール紙トレイ１４、カット紙トレイ１５に加えて、ロール紙Ｒ１，Ｒ２から繰り出した用紙（シート）の搬送方向に直交する方向に用紙を横裁断する横裁断手段１６、読み取った原稿をもとにトナーで画像を形成して転写する作像手段１７、転写した画像を定着させる定着手段１８、搬送方向に用紙を縦裁断する縦裁断手段１９などをそなえる。なお、この例の作像手段１７は、感光体に静電潜像を形成し、それにトナーを付着させてトナー像を形成して、用紙上に転写する一般的な電子写真プロセスを用いるものである。
【００２３】
図３は電気ブロック図である。この例の複写機は、操作手段１２、装置全体を制御するＣＰＵ２１、読取手段１１で読み取った画像データを格納するメモリ２２、その画像データを編集する画像編集手段２３、作像手段１７、ＩＯ２４などをそなえる。なお、ＩＯ２４は、後述する各種駆動系に接続されている。
【００２４】
次に、このように構成された複写機の動作について、図４を参照しつつ、説明する。まず、読取台１３に原稿を載置し、Ｓ１にて、操作手段１２で各種の設定を行い、スタートボタンを押下してコピーを開始させる（Ｓ２）。そして、Ｓ３にて、コピーモードであるかを判定し、コピーモードである場合には、Ｓ４に進み、ＣＰＵ２１にて設定内容を確認した後、画像がＡ０サイズであるかを判定する（Ｓ５）。
【００２５】
Ａ０サイズである場合には、Ｓ７に進み、ロール紙トレイ１４にあるロール紙Ｒ１を繰り出して搬送路２０に沿って搬送する。そして、Ｓ８にて、読取台１３に載置した原稿を読取手段１１で読み取って画像データとして、メモリ２２に一旦格納した後、作像手段１７に送る。そして、Ｓ９にて、トナー像を、用紙に転写して画像形成を開始するとともに、横裁断手段１６にて、用紙の搬送方向と直交する方向にＡ０サイズとなる位置で用紙を裁断して（Ｓ１０）、複写機から排出する（Ｓ１１）。
【００２６】
一方、Ｓ５にて、画像形成するサイズがＡ０サイズでないときは、Ｓ６に進み、用紙をその搬送方向に沿って縦裁断する裁断モードであるかを判定する。裁断モードでないときは、前述のＳ７に進み、以下、同様にして用紙を裁断して排出する。裁断モードであるときは、Ｓ１２に進み、ロール紙トレイ１４にあるロール紙Ｒ１から用紙を繰り出して、搬送路２０に沿って搬送する。
【００２７】
そして、Ｓ１３にて、読取台１３に載置した複数枚の原稿を読取手段１１で順次読み取って画像データとして、メモリ２２に一旦格納した後、画像編集手段２３に送って、作像手段１７で用紙に、搬送方向と直交する方向に複数の画像を並べて一気に形成しうるように編集する。そして、Ｓ１４にて、用紙に転写して画像を形成する。
【００２８】
Ｓ１３，Ｓ１４は、詳しくは、図５に示すように、例えば、Ａ４サイズ（長さＬ１、幅Ｗ１）の４枚の原稿１Ｍ１〜原稿４Ｍ４を読取台１３に重ねて載置し、読取手段１１にて順次読み取り、メモリ２２に一旦格納した後、画像編集手段２３に送って、長さＬ１、幅Ｗ１×４の用紙ＣＲ１に、用紙ＣＲ１の搬送方向に直交する方向に４等分して４つの画像Ａ１〜Ａ４を編集する。そして、この編集した画像データを作像手段１７に送り、上記４つの画像Ａ１〜Ａ４にそれぞれ原稿１Ｍ１〜原稿４Ｍ４の画像形成を開始するとともに、横裁断手段１６にて、用紙ＣＲ１の搬送方向と直交する方向にＬ１の長さで用紙ＣＲ１を横裁断する（Ｓ１５）。
【００２９】
そして、Ｓ１６にて、用紙ＣＲ１を、搬送方向に直交する方向に４つの画像Ａ１〜Ａ４に分割するために、裁断位置Ｄ１に設けた縦裁断手段１９により、搬送方向に縦裁断して、複写機から排出する（Ｓ１７）。
【００３０】
この例では、幅Ｗ１×４、長さＬ１の用紙ＣＲ１を４分割することによって、幅Ｗ１、長さＬ１のＡ４サイズの用紙が４枚出力される。
【００３１】
ところで、縦裁断手段１９は、詳しくは、図６、図７（Ａ）に示すようになっている。すなわち、縦裁断手段１９は、ソレノイド１９ａ、カム１９ｄ、カッタ１９ｅ、裁断テーブル１９ｇなどをそなえる。ソレノイド１９ａは、不図示のブラケット上に取り付けられ、一端にプランジャ１９ｂを出し入れ自在にそなえ、コイルスプリングｓで付勢して突出する。プランジャ１９ｂの先端には、ピン１９ｃを介して、上辺１９ｊと斜辺１９ｋを有する多角形状のカム１９ｄを不図示のガイド部材で案内して図中矢示方向にスライド自在にそなえる。
【００３２】
カム１９ｄに隣接して、カッタ１９ｅをそなえる。カッタ１９ｅは、円盤状で円周に沿って刃を有し、中心に回転軸１９ｆをカム１９ｄのスライド方向と直交する向きにそなえ、一端に不図示のモータを取り付け、他端をカム１９ｄの上辺１９ｊに載置する。カッタ１９ｅの上方には、矩形の板状の裁断テーブル１９ｇをそなえる。
【００３３】
裁断テーブル１９ｇは、適宜支持して略水平に取り付けられる。裁断テーブル１９ｇのシート案内面１９ｌの中央には、スリット１９ｉを形成する。また、裁断テーブル１９ｇの裏面側の一対の短辺に沿って、三角形状のガイド板１９ｍを、それぞれ下方に向かって固設してなる。このガイド板１９ｍは、カッタ１９ｅを挟んで向き合うように設けられる。
【００３４】
そして、回転軸１９ｆを裁断テーブル１９ｇのガイド板１９ｍに設けられた長孔１９ｈに遊嵌させる。
【００３５】
なお、プランジャ１９ｂは中央にリングをそなえ、このリングとソレノイド１９ａとの間に上述したコイルスプリングｓを巻き付ける。
【００３６】
この縦裁断手段１９は、図５において、用紙ＣＲ１の搬送方向に直交する方向に、用紙ＣＲ１を縦裁断するように、間隔Ｗ１で３つ並べて固定位置にそなえられる。すなわち、用紙ＣＲ１の搬送方向に直交する方向の中央の裁断位置Ｄ２、中央と用紙ＣＲ１の左右端をそれぞれ２等分する位置に、裁断位置Ｄ１，Ｄ３に沿って用紙ＣＲ１を縦裁断するように固定位置にそなえる。
【００３７】
このように構成された縦裁断手段１９で、用紙ＣＲ１を搬送方向に裁断するときは、図７（Ｂ）に示すように、ソレノイド１９ａをＯＮにして裁断モードとし、プランジャ１９ｂを矢印Ｐの方向に作動させる。すると、カム１９ｄが矢印Ｐの方向に引張られ、カム１９ｄの上辺１９ｊに載置していた回転軸１９ｆが、長孔１９ｈで案内されて斜辺１９ｋに沿って上昇し、カッタ１９ｅが重力に抗して移動し、スリット１９ｉを通して、シート案内面１９ｌから突出する。
【００３８】
ソレノイド１９ａに連動して、図示しないモータがカッタ１９ｅを矢印Ｑの方向に回転させ、矢印Ｒの方向に搬送される用紙ＣＲ１をシート案内面１９ｌ上で搬送方向に裁断する。なお、この例では、３つの裁断位置Ｄ１〜Ｄ３にある縦裁断手段１９は、全てが裁断モードとなり、幅Ｗ１×４の用紙ＣＲ１を４等分して、幅Ｗ１の用紙を４枚出力する。
【００３９】
裁断が完了したら、ソレノイド１９ａをＯＦＦにして、コイルスプリングｓによってプランジャ１９ｂを矢印Ｐと反対方向に押出す。すると、カム１９ｄが矢印Ｐと反対方向に動かされ、カム１９ｄの斜辺１９ｋに沿って回転軸１９ｆが重力によって下降すると同時に、裁断テーブル１９ｇから突出していたカッタ１９ｅが、シート案内面１９ｌ内に格納され、図７（Ａ）に示すように非裁断モードとなる。
【００４０】
一方、用紙を搬送方向に裁断しない場合には、上述のように縦裁断手段１９を、図７（Ａ）に示すように非裁断モードとして、用紙を裁断テーブル１９ｇのシート案内面１９ｌ上を通過させる。
【００４１】
なお、この例では、幅Ｗ１、長さＬ１のＡ４サイズの４枚の原稿１Ｍ１〜原稿４Ｍ４を幅Ｗ１×４、長さＬ１の用紙ＣＲ１に、搬送方向に直交する方向に並べて画像を形成した後、搬送方向に裁断したが、この発明はこれに限定されるものではない。すなわち、図８（Ａ）に示すように、読取手段１１で、長さＬ２、幅Ｗ２のＡ１サイズの原稿１Ｍ５を読み取った後、その画像を幅Ｗ２×２、長さＬ２の用紙ＣＲ２の搬送方向に直交する方向に２つ複製し、並べて画像形成した後、搬送方向に２分割するように裁断してもよい。この場合には、前述した３つの裁断位置Ｄ１〜Ｄ３にある縦裁断手段１９のうち、用紙搬送方向に直交する方向の中央にある裁断位置Ｄ２の縦裁断手段１９のみを裁断モードとし、他の縦裁断手段１９は、非裁断モードとする。
【００４２】
また、図８（Ｂ）に示すように、読取手段１１で、長さＬ２、幅Ｗ２のＡ１サイズの原稿１Ｍ５、原稿２Ｍ６を読み取った後、それらの画像を用紙の搬送方向に直交する方向に並べて画像形成を開始するとともに、用紙を搬送方向と直交する方向に横裁断手段１６で長さＬ２に裁断して、用紙ＣＲ２とした後、搬送方向に２分割するように裁断してもよい。この場合も、裁断位置Ｄ２の縦裁断手段１９のみを裁断モードとし、他の縦裁断手段１９は、非裁断モードとする。
【００４３】
さらに、読取る原稿は、２枚に限らず、Ａ１サイズの原稿４枚を読取手段１１で連続して読み取り、それらの画像を用紙の搬送方向に直交する方向に２つずつ並べて画像を形成するとともに、用紙を搬送方向と直交する方向に横裁断手段１６で長さＬ２に裁断した後、搬送方向にそれぞれ２分割するように裁断してもよい。
【００４４】
また、この発明は、図９に示すように、作像手段１７で用紙に画像を形成することなく、Ａ０サイズの長辺を幅とする幅Ｗ２×２の用紙を横裁断手段１６において長さＬ２で裁断し、用紙ＣＲ３とした後、縦裁断手段１９で用紙ＣＲ３の搬送方向に２分割するように裁断して、幅Ｗ２、長さＬ２のＡ１サイズの用紙を２枚作成してもよい。
【００４５】
この場合には、図４のＳ３において、白紙モードとしてＳ１８に進み、用紙Ｒ１を搬送し、横裁断手段１６にて、用紙の搬送方向と直交する方向にＬ２の長さで用紙を裁断して、用紙ＣＲ３とする（Ｓ１９）。そして、Ｓ２０にて、用紙ＣＲ３を裁断位置Ｄ２にある縦裁断手段１９で搬送方向に裁断して、複写機から排出し（Ｓ２１）、Ａ１サイズの白紙を作成する。このときも、上述の場合と同様に、裁断位置Ｄ２の縦裁断手段１９のみを裁断モードとし、他の縦裁断手段１９は、非裁断モードとする。
【００４６】
なお、上述の例に加えて、読取手段１１で読み取った２ｘ（ｘは正の整数）枚の原稿を、画像編集手段２３で、用紙搬送方向と直交する方向に２ｘ−１等分し、作像手段１７で一気に２ｘ個の画像を並べて形成し得るようにするとともに、それらの画像を分割するべく縦裁断手段１９を、（２ｙ−１）（ｙは正の整数）個備えてもよい。
【００４７】
なお、これまで、画像形成装置の一例として複写機について説明したが、この発明はこれに限定されるものではなく、プリンタ、プロッタにも適用しうる。この場合、上述の例のように原稿を読取手段で読み取るのに代えて、パーソナルコンピュータで画像を作成して、作像手段に送るようにする。
【００４８】
また、作像手段にて画像を形成するシートは、用紙に限定されず、例えば、ＯＨＰシートなどのフィルムでもよい。
【００４９】
【発明の効果】
以上説明したとおり、請求項１に記載の発明によれば、縦裁断手段を固定位置に備えて裁断モードと非裁断モードとに切り換え可能とするだけで、縦裁断手段をシート搬送方向と直交する方向に移動しないので、構造簡単で部品点数を少なくすることができる。また、縦裁断手段の移動スペースを確保する必要がないから、小型化することができる。
【００５０】
また、作像手段で、ロールシートから繰り出したシートにシート搬送方向と直交する方向に複数の画像を並べて一気に形成し、裁断して出力するので、シート搬送方向に順次画像を形成する場合に比し、複数枚のシートへの画像形成時間を短縮することができる。
【００５１】
請求項２に記載の発明によれば、作像手段で、２ｘ−１（ｘは正の整数）等分してシートに複数の画像を形成し得るようにするとともに、前記縦裁断手段を、（２ｙ−１）（ｙは正の整数）個備えるので、比較的大判規格サイズのロールシートを使用するとき、その何分の１かの規格サイズのシートに分割して出力することができる。
【００５２】
請求項３に記載の発明によれば、縦裁断手段に、搬送するシートを案内する裁断テーブルを備えるので、搬送シートを引っ掛かりなく案内することができる。また、搬送するシートを裁断するカッタを、裁断モードのとき裁断テーブルのシート案内面上に突出し、非裁断モードのときそのシート案内面内に格納するように該シート案内面に対して出没自在とするので、簡単な構成で、裁断モードと非裁断モードの切り換えを確実とすることができる。
【００５３】
請求項４に記載の発明によれば、カッタを重力で非裁断モードとし、重力に抗して移動して裁断モードとするので、カッタを非裁断モードに戻すとき駆動部材や駆動源を必要とせず、部品点数の削減を図り、また省電力化を図ることができる。
【００５４】
請求項５に記載の発明によれば、ソレノイドでカッタを重力に抗して移動して裁断モードとするので、駆動源として安価なソレノイドを用い、コストの低減を図ることができる。
【図面の簡単な説明】
【図１】この発明による画像形成装置の一例としての複写機の斜視図である。
【図２】その概略構成図である。
【図３】その電気ブロック図である。
【図４】その動作を示したフローチャートである。
【図５】この発明による複写機の画像形成方法の一例を説明する図である。
【図６】この発明による複写機にそなえられた縦裁断手段の正面図である。
【図７】その側面図であり、（Ａ）は、非裁断モードを、（Ｂ）は、裁断モードを示す。
【図８】この発明による複写機の画像形成方法の他例を説明する図であり、（Ａ）は、１つの原稿を読み取った後、２つ並べて画像形成した図、（Ｂ）は、２つの原稿を読み取った後、並べて画像形成した図である。
【図９】この発明による複写機を用いてロール紙を裁断して白紙を作成する様子を説明する図である。
【図１０】従来の画像形成装置にそなえられた縦裁断手段まわりの斜視図である。
【符号の説明】
１６　　横裁断手段
１７　　作像手段
１９　　縦裁断手段
１９ａ　　ソレノイド
１９ｅ　　カッタ
１９ｇ　　裁断テーブル
１９ｉ　　スリット
１９ｌ　　シート案内面
Ａ１，Ａ２，Ａ３，Ａ４　　画像
ＣＲ１，ＣＲ２　　用紙（シート）
Ｒ１，Ｒ２　　ロール紙（ロールシート）
【図１】
2004074544.tif 000003
【図２】
2004074544.tif 000004
【図３】
2004074544.tif 000005
【図４】
2004074544.tif 000006
【図５】
2004074544.tif 000007
【図６】
2004074544.tif 000008
【図７】
2004074544.tif 000009
【図８】
2004074544.tif 000010
【図９】
2004074544.tif 000011
【図１０】
2004074544.tif 000012